(57)【要約】【課題】燃焼時に発生する生成ガスの有効なガス量の低下を抑制する。【解決手段】燃料と酸化剤とを含有する液体状のガス発生組成物は、含有される成分の構成元素として、炭素原子［Ｃ］及び窒素原子［Ｎ］の少なくとも一方と、水素原子［Ｈ］とを含む。また、ガス発生組成物は、炭素原子［Ｃ］及び窒素原子［Ｎ］に対する水素原子［Ｈ］の組成比［Ｈ／（Ｃ＋Ｎ）］が３．０以下であり、且つ酸素バランスが−０．１以上０．１以下である。【選択図】なし【特許請求の範囲】
【請求項１】
燃料と酸化剤とを含有する液体状のガス発生組成物であって、
含有される成分の構成元素として、炭素原子［Ｃ］及び窒素原子［Ｎ］の少なくとも一方と、水素原子［Ｈ］とを含み、
炭素原子［Ｃ］及び窒素原子［Ｎ］に対する水素原子［Ｈ］の組成比［Ｈ／（Ｃ＋Ｎ）］が３．０以下であり、
酸素バランスが−０．１以上０．１以下であることを特徴とするガス発生組成物。
【請求項２】
前記燃料としての液体燃料、及び水の少なくとも一方からなる溶媒を含有し、
前記酸化剤は、前記溶媒に溶解していることを特徴とする請求項１に記載のガス発生組成物。
【請求項３】
前記酸化剤は、硝酸塩化合物、及びニトラミン化合物から選ばれる少なくとも一種であることを特徴とする請求項２に記載のガス発生組成物。
【請求項４】
前記燃料は、含窒素有機化合物、及び低級アルコール類から選ばれる少なくとも一種であることを特徴とする請求項１〜３のいずれか一項に記載のガス発生組成物。
【請求項５】
前記燃料は、イミダゾール、イミダゾール誘導体、テトラゾール、テトラゾール誘導体、トリアゾール、トリアゾール誘導体、ピコリン酸、グリシン、メチルアルコール、エチルアルコール、イソプロピルアルコール、シアナミド、ホルムアミド、ニトロメタン、アセトニトリル、アクリロニトリル、３−ヒドロキシプロピオニトリル、２−イミダゾリジノン、ニトロプロパン、シアノ酢酸メチル、アセトンシアンヒドリン、イミノ二酢酸、メタクリル酸アミド、２−ピロリジノン、ピリジン、シアノ酢酸エチル、ニトロベンゼン、アニリン、β-ピコリン、γ-ピコリン、アジポニトリル、フェニルヒドラジンから選ばれる少なくとも一種であることを特徴とする請求項４に記載のガス発生組成物。
【請求項６】
液体の状態でインフレータに充填して使用されることを特徴とする請求項１〜５のいずれか一項に記載のガス発生組成物。
【請求項７】
前記インフレータは、燃焼時に熱及びガスを発生可能な第１組成物と、燃焼時にガスを発生可能な第２組成物とが内部に充填されるとともに、前記第１組成物から発生した熱により前記第２組成物が燃焼するように構成されるハイブリッドインフレータであり、
前記ハイブリッドインフレータの前記第２組成物として適用されることを特徴とする請求項６に記載のガス発生組成物。
【発明の詳細な説明】
【技術分野】
【０００１】
本発明は、例えば、エアバッグを膨張させるためのインフレータに適用され、燃焼時にガスを発生可能な液体状のガス発生組成物に関する。
【背景技術】
【０００２】
近年、燃焼時にガスを発生可能なガス発生組成物として液体状のガス発生組成物が開発されている。例えば、特許文献１には、低級アルコール等の水溶性の燃料と、過酸化水素や硝酸アンモニウム等の水溶性の酸化剤と、溶媒としての水とから構成される液体状のガス発生組成物が開示されている。
【先行技術文献】
【特許文献】
【０００３】
【特許文献１】米国特許第６３６１６３１号明細書
【発明の概要】
【発明が解決しようとする課題】
【０００４】
ところで、特許文献１の液体状のガス発生組成物を充填したインフレータを用いてエアバッグを展開させた場合には、生成される生成物の総量に対して、エアバッグの膨張に寄与するガス量が少なくなる傾向がある。そのため、エアバッグの拘束性能を十分に確保するためには、例えば、インフレータに充填するガス発生組成物の量を通常よりも多くする必要があった。
【０００５】
本発明者らは、上記問題の原因として、ガス発生組成物の生成物に含まれる水蒸気に着目した。すなわち、特許文献１の液体状のガス発生組成物の場合、溶媒として含有される水に加えて燃焼によって更に水蒸気が発生することから、発生する生成ガス全体に占める水蒸気の割合が多くなっている。そのため、エアバッグへ流入する際の断熱膨張によって生成ガスの熱が奪われると、生成ガス中の水蒸気が多量に液化して生成ガスの有効なガス量、即ちエアバッグの膨張に寄与する実質的なガス量が低下しているものと考えられる。
【０００６】
本発明は、このような実情に鑑みてなされたものであって、その目的は、燃焼時に発生する生成ガスの有効なガス量の低下を抑制することのできる液体状のガス発生組成物を提供することにある。
【課題を解決するための手段】
【０００７】
上記課題を解決するガス発生組成物は、燃料と酸化剤とを含有する液体状のガス発生組成物であって、含有される成分の構成元素として、炭素原子［Ｃ］及び窒素原子［Ｎ］の少なくとも一方と、水素原子［Ｈ］とを含み、炭素原子［Ｃ］及び窒素原子［Ｎ］に対する水素原子［Ｈ］の組成比［Ｈ／（Ｃ＋Ｎ）］が３．０以下であり、酸素バランスが−０．１以上０．１以下である。
【０００８】
含有される成分の構成元素として炭素原子、窒素原子、及び水素原子を含むガス発生組成物を燃焼させた場合に生成物として発生する生成ガスは主に、炭素原子由来の二酸化炭素、窒素原子由来の窒素、水素原子由来の水蒸気（水）の混合物となる。そのため、ガス発生組成物に含有される成分の構成元素について、炭素原子及び窒素原子に対する水素原子の組成比を一定値以下とすることにより、生成ガスに占める水蒸気（水）の割合を低減させることができる。これにより、生成ガスに含まれる水蒸気の液化が抑制され、その結果、水蒸気の液化に起因する生成ガスの有効なガス量の低下を抑制することができる。また、ガス発生組成物の酸素バランスが−０．１以上０．１以下となるように組成を調整することにより、酸素不足に起因する一酸化炭素の発生、及び酸素過多に起因する窒素酸化物の発生を低減することができる。
【０００９】
上記ガス発生組成物において、前記燃料としての液体燃料、及び水の少なくとも一方からなる溶媒を含有し、前記酸化剤は、前記溶媒に溶解していることが好ましい。
上記ガス発生組成物において、前記酸化剤は、硝酸塩化合物、及びニトラミン化合物から選ばれる少なくとも一種であることが好ましい。
【００１０】
上記ガス発生組成物において、前記燃料は、含窒素有機化合物、及び低級アルコール類から選ばれる少なくとも一種であることが好ましい。
上記ガス発生組成物において、前記燃料は、イミダゾール、イミダゾール誘導体、テトラゾール、テトラゾール誘導体、トリアゾール、トリアゾール誘導体、ピコリン酸、グリシン、メチルアルコール、エチルアルコール、イソプロピルアルコール、シアナミド、ホルムアミド、ニトロメタン、アセトニトリル、アクリロニトリル、３−ヒドロキシプロピオニトリル、２−イミダゾリジノン、ニトロプロパン、シアノ酢酸メチル、アセトンシアンヒドリン、イミノ二酢酸、メタクリル酸アミド、２−ピロリジノン、ピリジン、シアノ酢酸エチル、ニトロベンゼン、アニリン、β-ピコリン、γ-ピコリン、アジポニトリル、フェニルヒドラジンから選ばれる少なくとも一種であることが好ましい。
【００１１】
上記ガス発生組成物は、液体の状態でインフレータに充填して使用されることが好ましい。
上記ガス発生組成物において、前記インフレータは、燃焼時に熱及びガスを発生可能な第１組成物と、燃焼時にガスを発生可能な第２組成物とが内部に充填されるとともに、前記第１組成物から発生した熱により前記第２組成物が燃焼するように構成されるハイブリッドインフレータであり、前記ハイブリッドインフレータの前記第２組成物として適用されることが好ましい。
【発明の効果】
【００１２】
本発明のガス発生組成物によれば、燃焼時に発生する生成ガスの有効なガス量の低下を抑制することができる。
【図面の簡単な説明】
【００１３】
【図１】ハイブリッドインフレータの概略図。
【発明を実施するための形態】
【００１４】
以下、本発明を具体化したガス発生組成物を詳細に説明する。
本実施形態のガス発生組成物は、常温常圧で液体状の組成物であって、燃料と酸化剤とを含有し、必要に応じて更に溶媒としての水を含有する。なお、本実施形態における液体状とは、ガス発生組成物に含有される全成分が完全に溶解している状態のみを意味するものではなく、含有される成分の一部が未溶解である状態を含む。
【００１５】
［燃料］
燃料としては、炭素原子及び窒素原子の少なくとも一方を構成元素に含む化合物であって、燃焼時に分解されて二酸化炭素及び窒素の少なくとも一方を発生させる化合物が用いられ、更に好ましくは、含窒素有機化合物や低級アルコール類が用いられる。また、生成物中におけるガス成分の割合を高めるという観点から、燃料は構成元素に金属原子を含まない化合物であることが好ましい。
【００１６】
燃料としては、固体燃料及び液体燃料のいずれも用いることができる。
固体燃料は、ガス発生組成物中において溶媒に溶解された状態で含有される。なお、ここで言う溶解とは、完全に溶解している状態のみを意味するものではなく、一部が未溶解である状態を含む。したがって、固体燃料としては、溶媒に可溶である化合物を用いることが好ましく、水に可溶である化合物を用いることが特に好ましい。
【００１７】
固体燃料としては、例えば、固体状の含窒素有機化合物を好適に用いることができる。固体状の含窒素有機化合物の具体例としては、イミダゾール、イミダゾール誘導体、テトラゾール、１Ｈ−テトラゾールや５−アミノテトラゾール等のテトラゾール誘導体、トリアゾール、３−アミノ−１，２，４トリアゾール等のトリアゾール誘導体、ピコリン酸、グリシン等が挙げられる。
【００１８】
また、液体燃料としては、例えば、低級アルコール類（例えば、炭素数５以下）、液体状の含窒素有機化合物を好適に用いることができる。低級アルコール類の具体例としては、メチルアルコール、エチルアルコール、イソプロピルアルコールが挙げられる。液体状の含窒素有機化合物の具体例としては、シアナミド、ホルムアミド、ニトロメタン、アセトニトリル、アクリロニトリル、３−ヒドロキシプロピオニトリル、２−イミダゾリジノン、ニトロプロパン、シアノ酢酸メチル、アセトンシアンヒドリン、イミノ二酢酸、メタクリル酸アミド、２−ピロリジノン、ピリジン、シアノ酢酸エチル、ニトロベンゼン、アニリン、β-ピコリン、γ-ピコリン、アジポニトリル、フェニルヒドラジンが挙げられる。また、上記の液体燃料の他に、例えば、メチルエチルケトンやアセトン等のケトン類、酢酸エチル、エーテル類を液体燃料として用いることもできる。
【００１９】
上記燃料のうちの一種のみが含有されていてもよいし、二種以上が含有されていてもよい。また、二種以上の燃料を含有させる場合には、固体燃料と液体燃料とを併用してもよい。
【００２０】
［酸化剤］
酸化剤は、ガス発生組成物中において溶媒に溶解された状態で含有される。なお、ここで言う溶解とは、完全に溶解している状態のみを意味するものではなく、一部が未溶解である状態を含む。したがって、酸化剤としては、溶媒に可溶である化合物を用いることが好ましく、水に可溶である化合物を用いることが特に好ましい。
【００２１】
酸化剤としては、例えば、硝酸塩化合物、及びニトラミン化合物が挙げられる。硝酸塩化合物の具体例としては、硝酸ヒドロキシルアンモニウム（ＮＨ２ＯＨ・ＨＮＯ３）、硝酸アンモニウム（ＮＨ４ＮＯ３）、硝酸ヒドラジン（Ｎ２Ｈ４・ＨＮＯ３）等の含窒素無機化合物の硝酸塩化合物が挙げられる。ニトラミン化合物の具体例としては、アンモニウムジニトラミド（ＮＨ４Ｎ（ＮＯ２）２）が挙げられる。上記酸化剤のうちの一種のみが含有されていてもよいし、二種以上が含有されていてもよい。
【００２２】
また、酸化剤は、酸素バランスの大きい化合物を用いることが好ましい。こうした観点から、酸化剤として硝酸ヒドロキシルアンモニウムを用いることが特に好ましい。
［水］
水は、使用される燃料の種類に応じて溶媒として含有される。具体的には、燃料として液体燃料を用いた場合であって、その液体燃料が他に含有される成分の溶媒として機能する場合には、水は任意成分となり、省略することもできる。一方、燃料として用いた液体燃料が溶媒として機能しない場合や、燃料として固体燃料のみを用いた場合には、溶媒として水が含有される。なお、溶媒として好適に機能し得る液体燃料、即ち上記酸化剤が溶解する液体燃料としては、例えば、低級アルコール類、メチルエチルケトンやアセトン等のケトン類、酢酸エチル、エーテル類が挙げられる。
【００２３】
［その他成分］
ガス発生組成物は、その他成分として、本発明の課題を解決できる範囲において、公知のガス発生組成物に含有される公知成分を含有させることができる。その他成分としては、例えば、ｐＨ調整剤、安定剤、減熱消炎剤、増粘剤、腐食防止剤が挙げられる。
【００２４】
また、ガス発生組成物は、含有される成分の構成元素として、炭素原子及び窒素原子の少なくとも一方と、水素原子とを含む。これら炭素原子、窒素原子、及び水素原子は、上述した燃料、酸化剤、水、その他成分のいずれの構成元素であってもよい。そして、ガス発生組成物は、含有される全成分の構成元素に関して、炭素原子［Ｃ］及び窒素原子［Ｎ］に対する水素原子［Ｈ］の組成比［Ｈ／（Ｃ＋Ｎ）］が３．０以下である。更に、上記組成比は、２．５以下であることが好ましく、２．０以下であることがより好ましい。上記組成比を３．０以下とすることにより、燃焼時に発生する生成ガスに占める水蒸気の割合を低減させることができる。
【００２５】
本実施形態のガス発生組成物は、組成物全体の酸素バランスが−０．１以上０．１以下の範囲である。そして、上記酸素バランスは、−０．０５以上０．０５以下の範囲であることが好ましく、−０．０４以上０．０５以下の範囲であることがより好ましい。ガス発生組成物の酸素バランスを−０．１以上とすることにより、酸素不足に起因する生成ガス中の一酸化炭素の発生を抑制することができる。また、ガス発生組成物の酸素バランスを０．１以下とすることにより、酸素過多に起因する生成ガス中の窒素酸化物の発生を抑制することができる。
【００２６】
上記組成比及びガス発生組成物の酸素バランスは、ガス発生組成物に含有される各成分（燃料、酸化剤、水、及びその他成分）の種類、及びそれら成分の配合割合を変更することによって調整することができる。例えば、酸化剤及び燃料の配合割合を多くすること、又は構成元素に水素原子の少ない酸化剤及び燃料を選択することによって、上記組成比を小さくすることができる。また、燃料に対する酸化剤の相対的な配合割合を高くすると、ガス発生組成物の酸素バランスは大きくなり、同配合割合を低くすると、ガス発生組成物の酸素バランスは小さくなる。
【００２７】
燃焼時に発生する生成ガスのガス量の低下を抑制するという観点においては、生成ガスの熱量を高くするようにガス発生組成物を構成することが好ましい。高温の生成ガスを発生させることによって、生成ガス中に含まれる水蒸気の液化が抑制されて、水蒸気の液化に起因する生成ガスのガス量の低下を抑制することができる。具体的には、ガス発生組成物から発生する生成ガスの熱量は、１５００Ｊ／ｇ以上であることが好ましく、２０００Ｊ／ｇ以上であることがより好ましい。
【００２８】
なお、生成ガスの熱量の上限値は、ガス発生組成物の使用態様に応じて適宜、設定すればよい。例えば、ガス発生組成物から発生する生成ガスを、人体に直接触れる部位に使用されるエアバッグ用の膨張ガスとして用いる場合には、エアバッグの温度が過剰に高まることを避けるために、生成ガスの熱量を６０００Ｊ／ｇ以下とすることが好ましく、５０００Ｊ／ｇ以下とすることが好ましい。
【００２９】
本実施形態の液体状のガス発生組成物は、例えば、車両に搭載されるエアバッグ装置用のインフレータ（ガス発生器）に好適に適用することができる。上記エアバッグ装置としては、例えば運転席用のエアバッグ装置、助手席用のエアバッグ装置、サイドエアバッグ装置、カーテンエアバッグ装置、及びニーエアバッグ装置が挙げられる。本実施形態の液体状のガス発生組成物は、エアバッグ用のインフレータの他、プリテンショナー用のインフレータ、ニーボルスター用のインフレータ、ボンネットの位置を変更するためのポップアップ装置用のインフレータに適用してもよい。更に、本実施形態の液体状のガス発生組成物は、雷管やスクイブのエネルギーを他の組成物に伝えるためのエンハンサ剤又はブースターと呼ばれる着火剤として適用してもよい。
【００３０】
次に、本実施形態の液体状のガス発生組成物をハイブリッドインフレータに適用した具体例について説明する。
図１に示すように、ハイブリッドインフレータ１０は、鋼製の金属パイプから形成される略円筒状の充填部１１を備えている。充填部１１の一端部には、ガス吐出口１２ａを有する口金部１２が取り付けられるとともに、充填部１１の他端部には、ケース部１３が取り付けられている。口金部１２の基端部及びケース部１３の各基端部分には、破裂板１４，１５がそれぞれ配置され、この破裂板１４，１５によって充填部１１内に充填室Ｓが区画形成されている。また、ケース部１３内には、燃焼時に高温の第１生成ガスを発生させる第１組成物１６と、第１組成物１６に点火可能なスクイブ１７が収容されている。
【００３１】
ここで、通常のハイブリッドインフレータの場合には、充填部１１の充填室Ｓ内に、アルゴンガス等の不活性ガスを加圧した加圧ガスが充填されるが、本実施形態では、加圧ガスに代えて上記液体状のガス発生組成物（第２組成物）が充填されている。液体状のガス発生組成物を充填室Ｓ内に充填する方法としては、例えば、充填部１１の周壁部分に設けた充填孔を通じて充填する方法や、金属、ガラス、セラミック等の無機材料や合成樹脂材料等により形成されるケース内に液体状のガス発生組成物を充填したカートリッジを充填室Ｓに配置する方法が挙げられる。
【００３２】
制御装置等からの作動信号がハイブリッドインフレータ１０に入力されると、スクイブ１７が作動して第１組成物１６が燃焼する。第１組成物１６の燃焼により発生した高温の第１生成ガス（熱及びガス）は、破裂板１５を破裂させて充填室Ｓへと流入する。これにより、充填室Ｓ内の第２組成物が燃焼するとともに、第２組成物中に含まれる水、及び第２組成物の燃焼により生じた水が蒸発して水蒸気となる。そして、第２組成物の燃焼及び水の蒸発により、燃焼ガスと水蒸気とからなる第２生成ガスが発生するとともに、第２生成ガスは第１生成ガスとの混合ガスとなって、破裂板１４を破裂させてガス吐出口１２ａからインフレータ１０外へと流出する。
【００３３】
ここでは、第１組成物を介して液体状のガス発生組成物を燃焼させるハイブリッドインフレータについて説明したが、本実施形態の液体状のガス発生組成物は、スクイブ等により液体状のガス発生組成物を直接、燃焼させる構成のインフレータとして適用することも可能である。この場合には、液体状のガス発生組成物の燃焼により燃焼ガスが発生するとともに、燃焼時に生じる燃焼熱によって、ガス発生組成物中に含まれる水、及びガス発生組成物の燃焼により生じた水が蒸発して水蒸気となる。そして、この燃焼ガスと水蒸気とからなる生成ガスがインフレータ外へと流出することになる。
【００３４】
次に、本実施形態の作用について記載する。
本実施形態のガス発生組成物は、含有される成分の構成元素について、炭素原子及び窒素原子に対する水素原子の組成比［Ｈ／（Ｃ＋Ｎ）］が３．０以下に設定されている。そのため、ガス発生組成物の燃焼により発生する生成ガスの主成分とされる二酸化炭素、窒素、水蒸気のうちの水蒸気の占める割合が低減される。これにより、生成ガス中に含まれる水蒸気が液化し難くなって、水蒸気の液化に起因する生成ガスの有効なガス量（エアバッグ等の膨張に寄与する実質的なガス量）の低下を抑制することができる。また、本実施形態のガス発生組成物は、酸素バランスが−０．１以上０．１以下に設定されている。これにより、燃焼時の酸素不足に起因する一酸化炭素の発生を低減することができるとともに、燃焼時の酸素過多に起因する窒素酸化物の発生を低減することができる。
【００３５】
次に、本実施形態の効果について記載する。
（１）本実施形態の液体状のガス発生組成物によれば、燃焼時に発生する生成ガスに占める水蒸気の割合が低減される。そのため、水蒸気の液化に起因する生成ガスの有効なガス量の低下を抑制することができる。その結果、インフレータ等に適用した場合において、規定量の生成ガスを発生させるために必要となるガス発生組成物の充填量を、従来技術の液体状のガス発生組成物よりも少なくすることが可能となり、インフレータの小型化や低コスト化を図ることができる。
【００３６】
（２）本実施形態の液体状のガス発生組成物によれば、生成ガス中に一酸化炭素や窒素酸化物が発生することを抑制できる。
（３）本実施形態の液体状のガス発生組成物は、ハイブリッドインフレータ１０の充填室Ｓに充填される加圧ガスの代替構成として有用である。常温で気体状のガスを圧縮して加圧状態で充填した場合と比較して、常温で液体状のガス発生組成物を充填した場合には、単位容積当たりの燃焼時に発生するガス量が大きくなる。そのため、液体状のガス発生組成物を用いた場合には、ハイブリッドインフレータの小型化を図ること容易となる。
【００３７】
また、液体状のガス発生組成物を充填した場合の充填室Ｓの内圧は、加圧ガスを充填した場合の充填室Ｓの内圧よりも低圧になる。そのため、液体状のガス発生組成物を充填した場合には、充填室Ｓを区画する破裂板１４，１５として、耐圧強度の小さい破裂板を用いることが可能になる。耐圧強度の小さい破裂板を用いることにより、インフレータの作動時に破裂板が破裂しやすくなってインフレータの応答性が高められる。
【００３８】
更に、充填室Ｓの内圧が低圧になることにより、充填室Ｓを形成する充填部１１に関して、壁厚の薄い部材や耐圧性の低い部材を用いることが可能になる。そのため、インフレータの軽量化及び低コスト化を図ることが容易となる。
【実施例】
【００３９】
次に、試験例を挙げて上記実施形態をさらに具体的に説明する。
表１及び表２に示す各成分を混合して、試験例１〜３４のガス発生組成物を得た。なお、燃料として表１に示す固体燃料又は表２に示す液体燃料を用いるとともに、酸化剤として硝酸ヒドロキシルアンモニウムを用いた。各試験例のガス発生組成物はいずれも、その酸素バランスが−０．１以上０．１以下の範囲に調整されている。例えば、試験例７ａ〜７ｅの酸素バランスは順に、−０．１，−０．０５，０，０．０５，０．１である。また、試験例１２ａ〜１２ｅの酸素バランスは順に、−０．１，−０．０５，０，０．０５，０．１である。
【００４０】
各試験例のガス発生組成物について、炭素原子及び窒素原子に対する水素原子の組成比［Ｈ／（Ｃ＋Ｎ）］を理論計算に基づいて算出した。また、各試験例のガス発生組成物を燃焼させた場合に発生する生成ガスの組成、熱量、ガス量を理論計算に基づいて算出した。その結果を表１及び表２に示す。
【００４１】
【表１】
2014193793.tif 000002
【００４２】
【表２】
2014193793.tif 000003
表１及び表２に示すように、上記組成比を３．０以下とすることにより、生成ガスに占める水蒸気の割合が７０ｍｏｌ％以下にまで低減される。また、上記組成比を２．５以下とすることにより、生成ガスに占める水蒸気の割合が６５ｍｏｌ％以下にまで低減される。更に、上記組成比を２．０以下とすることにより、生成ガスに占める水蒸気の割合が６０ｍｏｌ％以下にまで低減される。
【００４３】
次に、上記実施形態及び実施例から把握できる技術的思想について記載する。
（イ）  燃焼時に熱及びガスを発生可能な第１組成物と、燃焼時にガスを発生可能な第２組成物とが内部に充填され、前記第１組成物から発生した熱により前記第２組成物が燃焼するように構成されるハイブリッドインフレータであって、前記第２組成物は、燃料と酸化剤とを含有するとともに、含有される成分の構成元素として、炭素原子［Ｃ］及び窒素原子［Ｎ］の少なくとも一方と、水素原子［Ｈ］とを含み、炭素原子［Ｃ］及び窒素原子［Ｎ］に対する水素原子［Ｈ］の組成比［Ｈ／（Ｃ＋Ｎ）］が３．０以下であり、酸素バランスが−０．１以上０．１以下であるハイブリッドインフレータ。
【符号の説明】
【００４４】
Ｓ…充填室、１０…ハイブリッドインフレータ、１１…充填部、１２…口金部、１２ａ…ガス吐出口、１３…ケース部、１４，１５…破裂板、１６…第１組成物。
【図１】
2014193793.tif 000004